(57)【特許請求の範囲】
【請求項１】
槽体の排水を行う、内周面に複数の突起部（２）を設けた、円筒状の排水口（１）と、
排水口（１）の突起部（２）と対応する位置であって、排水口（１）の突起部（２）の横幅よりも多少幅広な横幅を有し且つ下端まで解放された縦溝部（３ａ）、該縦溝部（３ａ）と連通して円弧方向に延設され、縦溝部（３ａ）近傍では縦幅が突起部（２）の縦幅よりも多少幅広で、連通する縦溝部（３ａ）から離れるほど縦幅が狭くなり突起部（２）と縦方向において嵌合するテーパー部（３ｃ）を備えた横溝部（３ｂ）、より成る嵌合溝（３）を側面に設けた略円筒形状の被覆部材と、
から構成される排水口の被覆部材において、
突起部（２）若しくは嵌合溝（３）に、嵌合の強度を適切に調節する弾性部分（４）を備え、且つ弾性部分（４）を、横溝部（３ｂ）に沿って切欠部（５）を設けることで弾性を付与される、横溝部（３ｂ）の下側壁部（４ａ）としたことを特徴とする排水口の被覆部材。
【請求項２】
槽体の排水を行う、内周面に複数の突起部（２）を設けた、円筒状の排水口（１）と、
排水口（１）の突起部（２）と対応する位置であって、排水口（１）の突起部（２）の横幅よりも多少幅広な横幅を有し且つ下端まで解放された縦溝部（３ａ）、該縦溝部（３ａ）と連通して円弧方向に延設され、排水口（１）の突起部（２）の縦幅よりも多少幅広な縦幅を有した横溝部（３ｂ）、横溝部（３ｂ）の上壁又は下壁から突出された、部分的に横溝部（３ｂ）の縦幅を突起部（２）の縦幅より若干幅狭とするための凸部（３ｄ）、より成る嵌合溝（３）を側面に設けた略円筒形状の被覆部材と、
から構成される排水口の被覆部材において、
突起部（２）若しくは横溝部（３ｂ）の凸部（３ｄ）を含む部分に、嵌合の強度を適切に調節する弾性部分（４）を備え、且つ弾性部分（４）を、横溝部（３ｂ）に沿って切欠部（５）を設けることで弾性を付与される、横溝部（３ｂ）の下側壁部（４ａ）としたことを特徴とする排水口の被覆部材。
【請求項３】
上記弾性部分（４）を、突起部（２）を弾性材にて構成することで設けたことを特徴とする請求項１に記載の排水口の被覆部材。
【請求項４】
上記排水口の被覆部材において、被覆部材が、一定以上の大きさの塵芥が排水口内に流れ込むことを防止する目皿部材（６）であることを特徴とする、上記請求項１乃至請求項３のいずれか１つに記載の排水口の被覆部材。
【請求項５】
上記排水口の被覆部材において、被覆部材が、排水中の塵芥を収集するストレーナー（７）であることを特徴とする、上記請求項１乃至請求項３のいずれか１つに記載の排水口の被覆部材。
【請求項６】
上記排水口の被覆部材において、被覆部材が、使用時に排水口内の視界を制限する目隠部材（８）であることを特徴とする、上記請求項１乃至請求項３のいずれか１つに記載の排水口の被覆部材。
【発明の詳細な説明】
【０００１】
【発明の属する技術分野】
本発明は洗面台、流し台などの槽体や、浴室や洗濯機などに利用される防水パンなど、使用によって排水が生じる各種の排水機器において、それらの排水を行う排水装置の排水口に取り付けられる被覆部材に関する物である。
【０００２】
【従来の技術】
従来より洗面台、流し台などの槽体や、浴室や洗濯機などに利用される防水パンなど、使用によって排水が生じる各種の排水機器において、それらの排水を行う排水装置が用いられている。
【０００３】
図１７に示した排水装置はその一例で、排水トラップと呼ばれる、下水側からの臭気や害虫類の進入を防止する機能を有する排水装置を示したものである。
【０００４】
ところで、排水は既に何らかの為に使用された後の水であるため、例えば流し台において食器等の洗浄に用いられた排水であれば調理くず等が、また洗面台において洗髪に用いられた排水であれば毛髪等が、それぞれ殆どの場合混入している。これらをそのまま排水口から下水側に排出してしまうと、下水管の中でこれらの塵芥が詰まって管詰まりを生じるなどの不具合がある。そこで、通常排水装置の排水口には、排水中のある一定の大きさよりも大きな塵芥が排水口内に入らないようにスリット部を設けて大きな塵芥の進入を防ぐ目皿部材や、有底筒状にして側面及び底面を編目状とし、排水中の塵芥や毛髪等を捕集するストレーナーなどが配置される。また上記のようにストレーナーを用いると、そのままでは槽体の使用者がストレーナー内の塵芥を直視して不快感を感じるから、排水を行いつつ、且つ排水口内のストレーナーなどを直視しないようにする、排水プレートと呼ばれる目隠部材が配置されることが多い。上記のように、排水装置の排水口には、目皿部材やストレーナー、また目隠部材といった、排水口に取り付けられる被覆部材が殆どの場合用いられている。
【０００５】
これら排水口の被覆部材の、排水口への取付方法は様々で、例えば図２１に示したストレーナーの場合、ストレーナーの開口周縁に設けられた鍔部を、排水装置の開口部に載置して取付を行っている。また図２２に示した目隠部材の場合、目隠部材の外縁部を、排水口の開口部近傍に遊嵌することで排水口への取付としている。
【０００６】
これに対し、目皿部材の場合は、以下に記載するような強固な嵌合方法によって取り付けられる場合が多い。以下に、取り付けに使用される各部材と、その取付方法の一例を図面を参照しつつ説明する。
図１７乃至図２０に示した、通常目皿部材と呼ばれる排水口の被覆部材は、以下に説明する構造を備え、段落０００７に示したような方法で着脱自在に排水口に取付される。
排水装置の排水口は、槽体の底面部に形成されるものであって、円筒状にしてその内周面の複数箇所に突起部を設けてなる。
被覆部材である目皿部材は排水装置の排水口に備えられる、排水口より多少小さな径を有する略円筒形状の部材で、円筒形状の上端から内方に向かって設けた上面部分には、排水を排水口内に通すための複数のスリット部を設けて成る。
また目皿部材には、排水口の突起部と対応する位置に、下端まで解放され、排水口の突起部の横幅よりも多少幅広な横幅を有する縦溝部と、縦溝部の側面部に該縦溝部と連通して円弧方向に延設され、縦溝部近傍では縦幅が突起部の縦幅よりも多少幅広で、連通する縦溝部から離れるほど縦幅が狭くなり突起部と縦方向において嵌合するテーパー部を備えた横溝部と、より成る嵌合溝を側面に設けてなる。
【０００７】
上記のように構成した目皿部材を排水口に取り付ける場合、まず目皿部材の縦溝部を、平面視排水口の突起部に一致する位置に配置する。
次に縦溝部に沿って目皿部材を降下させ、排水口の突起部を、縦溝部に、横溝部の高さになるまで挿通させる。次に目皿部材を横溝部に沿って回転させると、横溝部に設けられたテーパー部によって、突起部が通過している部分の横溝部の縦幅が幅狭となり、最終的に突起部と横溝部が嵌合して目皿部材が排水口に取り付けられる。
【０００８】
【発明が解決しようとする課題】
ところで上記段落０００６乃至段落０００７に示した目皿部材のような、嵌合溝を設けた被覆部材においては、嵌合の強弱のバランスにおいて常に問題があった。
【０００９】
即ち、これら排水口と被覆部材の取付構造においては、取付のバランスの問題から、突起部と嵌合溝は、通常２乃至４箇所など、複数箇所設けられる。このため、任意の一カ所において適当な嵌合強度になったとしても、他の箇所ではまだ嵌合強度が充分な状態に達していない場合がある。このような場合、残りの突起部と嵌合溝にも適度な嵌合強度が得られるまで、被覆部材を回転させるのが望ましいが、その場合、既に良好な嵌合強度になっていた箇所は必要以上に嵌合が行われて、脱着時に締まりすぎて脱着に不便であったり、或いは突起部また嵌合溝に破損が生じるなどの問題がある。
【００１０】
複数の排水口の突起部と目皿部材の嵌合溝との寸法が、全ての箇所において全く同一になっていれば、上記のような問題は発生しないが、実際にはこれらの製品は金型を用いた樹脂成形によって大量生産されるため、成型時の条件等によって樹脂の収縮率等に差異が生じるなどの理由から、複数ある排水口の突起部と目皿部材の嵌合溝の寸法が全てにおいて均等になることはあり得ないのが実際である。このため、排水口と被覆部材の嵌合を全体的に弱めに設定することで、嵌合不能となることを避けているが、この場合では搬送時や使用時に被覆部材が排水口から外れてしまう、といった問題が生じる。
【００１１】
更に上記のような、排水口の被覆部材の場合、砂噛みと呼ばれる問題が発生する。
排水口に流れ込む排水は、先にも記載したように、使用済みの汚水であるため、その中には微細なゴミや砂粒などが混入している場合が多い。これらが排水口に取り付けられた被覆部材の、突起部と嵌合溝との嵌合箇所に入り込むと、両者の嵌合を解除しようとしても、両者の間にこれら微細な塵芥や砂粒が入り込んで、微妙なバランスで成り立っている嵌合のバランスを崩し、嵌合の解除ができなくなってしまう、或いは着脱はできるものの、必要以上に嵌合が締まり着脱しにくくなったり、部材に傷や破損が生じる場合がある。
本発明は上記問題点に鑑み発明されたものであって、突起部と嵌合溝とを用いた排水口の被覆部材において、嵌合の歪みや砂噛みの問題を解決できる排水口の被覆部材を提供するものである。
【００１２】
【課題を解決するための手段】
請求項１に記載の排水口の被覆部材は、槽体の排水を行う、内周面に複数の突起部（２）を設けた、円筒状の排水口（１）と、排水口（１）の突起部（２）と対応する位置であって、排水口（１）の突起部（２）の横幅よりも多少幅広な横幅を有し且つ下端まで解放された縦溝部（３ａ）、該縦溝部（３ａ）と連通して円弧方向に延設され、縦溝部（３ａ）近傍では縦幅が突起部（２）の縦幅よりも多少幅広で、連通する縦溝部（３ａ）から離れるほど縦幅が狭くなり突起部（２）と縦方向において嵌合するテーパー部（３ｃ）を備えた横溝部（３ｂ）、より成る嵌合溝（３）を側面に設けた略円筒形状の被覆部材と、から構成される排水口の被覆部材において、突起部（２）若しくは嵌合溝（３）に、嵌合の強度を適切に調節する弾性部分（４）を備え、且つ弾性部分（４）を、横溝部（３ｂ）に沿って切欠部（５）を設けることで弾性を付与される、横溝部（３ｂ）の下側壁部（４ａ）としたことを特徴とする排水口の被覆部材である。
【００１３】
請求項２に記載の排水口の被覆部材は、槽体の排水を行う、内周面に複数の突起部（２）を設けた、円筒状の排水口（１）と、排水口（１）の突起部（２）と対応する位置であって、排水口（１）の突起部（２）の横幅よりも多少幅広な横幅を有し且つ下端まで解放された縦溝部（３ａ）、該縦溝部（３ａ）と連通して円弧方向に延設され、排水口（１）の突起部（２）の縦幅よりも多少幅広な縦幅を有した横溝部（３ｂ）、横溝部（３ｂ）の上壁又は下壁から突出された、部分的に横溝部（３ｂ）の縦幅を突起部（２）の縦幅より若干幅狭とするための凸部（３ｄ）、より成る嵌合溝（３）を側面に設けた略円筒形状の被覆部材と、から構成される排水口の被覆部材において、突起部（２）若しくは横溝部（３ｂ）の凸部（３ｄ）を含む部分に、嵌合の強度を適切に調節する弾性部分（４）を備え、且つ弾性部分（４）を、横溝部（３ｂ）に沿って切欠部（５）を設けることで弾性を付与される、横溝部（３ｂ）の下側壁部（４ａ）としたことを特徴とする排水口の被覆部材である。
【００１５】
請求項３に記載の排水口の被覆部材は、上記弾性部分（４）を、突起部（２）を弾性材にて構成することで設けたことを特徴とする上記段落００１２又は段落００１３に記載の排水口の被覆部材である。
【００１６】
請求項４に記載の排水口の被覆部材は、上記排水口の被覆部材において、被覆部材が、一定以上の大きさの塵芥が排水口内に流れ込むことを防止する目皿部材（６）であることを特徴とする、上記段落００１２乃至段落００１５のいずれか１つに記載の排水口の被覆部材である。
【００１７】
請求項５に記載の排水口の被覆部材は、上記排水口の被覆部材において、被覆部材が、排水中の塵芥を収集するストレーナー（７）であることを特徴とする、上記段落００１２乃至段落００１５のいずれか１つに記載の排水口の被覆部材である。
【００１８】
請求項８に記載の排水口の被覆部材は、上記排水口の被覆部材において、被覆部材が、使用時に排水口内の視界を制限する目隠部材（８）であることを特徴とする、上記段落００１２乃至段落００１５のいずれか１つに記載の排水口の被覆部材である。
【００１９】
【発明の実施の形態】
以下に、本発明の第一実施例を、図面を参照しつつ説明する。
図１乃至図５に示した本発明の第一実施例は、被覆部材として排水口（１）に目皿部材（６）を採用して成り、他に排水口（１）を有する排水装置、その他の部材より構成されてなる。
排水装置の排水口（１）は、防水パン等の底面に取り付けられた排水装置に設けられるものであって、円筒状にしてその内周面の複数箇所に突起部（２）を設けてなる。
被覆部材である目皿部材（６）は排水口（２）の排水口に備えられる、排水口（１）より多少小さな径を有する略円筒形状の部材で、円筒形状の上端から内方に向かって設けた上面部分には、排水を排水口（１）内に通すための複数のスリット部（９）を設けて成る。
また目皿部材（６）には、排水口（１）の突起部（２）と対応する位置に、下端まで解放され、排水口（１）の突起部（２）の横幅よりも多少幅広な横幅を有する縦溝部（３ａ）と、縦溝部（３ａ）の側面部に該縦溝部（３ａ）と連通して円弧方向に延設され、縦溝部（３ａ）近傍では縦幅が突起部（２）の縦幅よりも多少幅広で、連通する縦溝部（３ａ）から離れるほど縦幅が狭くなり突起部（２）と縦方向において嵌合するテーパー部（３ｃ）を備えた横溝部（３ｂ）と、より成る嵌合溝（３）を側面に設けてなる。
更に、目皿部材（６）の横溝部（３ｂ）には、横溝部（３ｂ）に沿って切欠部（５）が設けられており、横溝部（３ｂ）の下側壁部（４ａ）が多少の弾性を持つ弾性部分（４）となるように構成されている。
【００２０】
上記のように構成した目皿部材（６）を排水口（１）に取り付ける場合、まず目皿部材（６）の縦溝部（３ａ）を、平面視排水口（１）の突起部（２）に一致する位置に配置する。
次に縦溝部（３ａ）に沿って目皿部材（６）を降下させ、排水口（１）の突起部（２）を、縦溝部（３ａ）に、横溝部（３ｂ）の高さになるまで挿通させる。次に目皿部材（６）を横溝部（３ｂ）に沿って回転させると、横溝部（３ｂ）に設けられたテーパー部（３ｃ）によって、突起部（２）が通過している部分の横溝部（３ｂ）の縦幅が幅狭となり、最終的に突起部（２）と横溝部（３ｂ）が嵌合して目皿部材（６）が排水口（１）に取り付けられる。
この時、横溝部（３ｂ）に設けられた切欠部（５）によって、横溝部（３ｂ）の下側壁部（４ａ）には多少の弾性が備えられて弾性部分（４）として作用する。このため、複数箇所ある突起部（２）と嵌合溝（３）のどれか一カ所で充分な嵌合強度に到達した状態から、更に他の突起部（２）と嵌合溝（３）とが良好な状態になるまで目皿部材（６）を回転させたとしても、図３−（ｂ）の点線で示したように、横溝部（３ｂ）が縦方向に広がるため、最初に充分な嵌合強度に到達した突起部（２）及び嵌合溝（３）が必要以上に嵌合が行われて、脱着時に締まりすぎて脱着に不便であったり、或いは突起部（２）また嵌合溝（３）に破損が生じたりすることがなく、複数箇所の全てで良好な嵌合強度を得ることができる。
【００２１】
また、上記段落００１１に記載したように、横溝部（３ｂ）に微細な塵芥や砂が入り込んだ場合でも、弾性部分（４）となった横溝部（３ｂ）の下側壁部（４ａ）の弾性によって、横溝部（３ｂ）が上下に多少開くので、従来例のように解除不能になることがない。また、該切欠部（５）から、塵芥や砂粒が排水口（１）内に少しづつ排出されて、砂噛みの原因が無くなるので、砂噛みによる嵌合の解除不良の問題は更に容易に解決される。
【００２２】
次に、本発明の第二実施例を、図面を参照しつつ説明する。
図６乃至図８に示した本発明の第二実施例は、被覆部材として排水口（１）に目皿部材（６）を採用して成り、他に排水口（１）を有する排水装置、その他の部材より構成されてなる。
排水装置の排水口（１）は、防水パン等の底面に取り付けられた排水装置に設けられるものであって、円筒状にしてその内周面の複数箇所に突起部（２）を設けてなる。
被覆部材である目皿部材（６）は排水口（２）の排水口に備えられる、排水口（１）より多少小さな径を有する略円筒形状の部材で、円筒形状の上端から内方に向かって設けた上面部分には、排水を排水口（１）内に通すための複数のスリット部（９）を設けて成る。
また目皿部材（６）には、
排水口（１）の突起部（２）と対応する位置に、下端まで解放され、排水口（１）の突起部（２）の横幅よりも多少幅広な横幅を有する縦溝部（３ａ）と、
該縦溝部（３ａ）と連通して円弧方向に延設され、排水口（１）の突起部（２）の縦幅よりも多少幅広な縦幅を有した横溝部（３ｂ）と、
横溝部（３ｂ）の上壁から、横溝部（３ｂ）の有る下方に向かって突出された、部分的に横溝部（３ｂ）の縦幅を突起部（２）の縦幅とほぼ同一の幅とするための凸部（３ｄ）と、
より成る嵌合溝（３）を側面に設けてなる。
更に、目皿部材（６）の横溝部（３ｂ）には、側面視において凸部（３ｄ）下方に当たる位置を含む部分に、横溝部（３ｂ）に沿って切欠部（５）が設けられており、横溝部（３ｂ）の下側壁部（４ａ）が多少の弾性を持つ弾性部分（４）となるように構成されている。
【００２３】
上記のように構成した目皿部材（６）を排水口（２）に取り付ける場合、まず目皿部材（６）の縦溝部（３ａ）を、平面視排水口（１）の突起部（２）に一致する位置に配置する。
次に縦溝部（３ａ）に沿って目皿部材（６）を降下させ、排水口（１）の突起部（２）を、縦溝部（３ａ）に、横溝部（３ｂ）の高さになるまで挿通させる。次に目皿部材（６）を横溝部（３ｂ）に沿って、平面視突起部（２）の端部が横溝部（３ｂ）の凸部（３ｄ）と一致する位置まで回転させる。更に目皿部材（６）を回転させると、切欠部（５）によって下側壁部（４ａ）には多少の弾性が備えられて弾性部分（４）として作用するため、図８−（ｂ）の点線に示したように、横溝部（３ｂ）の縦幅が広がって、突起部（２）が凸部（３ｄ）を乗り越えて嵌合して目皿部材（６）が排水口（１）に取り付けられる。
この時、複数箇所ある突起部（２）と嵌合溝（３）のどれか一カ所で嵌合に到達した状態から、更に他の突起部（２）と嵌合溝（３）とが良好な状態になるまで目皿部材（６）を回転させたとしても、最初に充分な嵌合に到達した突起部（２）及び嵌合溝（３）が必要以上に嵌合が行われて、脱着時に締まりすぎて脱着に不便であったり、或いは突起部（２）また嵌合溝（３）に破損が生じたりすることがなく、複数箇所の全てで良好な嵌合強度を得ることができる。
【００２４】
また、上記段落００１１に記載したように、横溝部（３ｂ）に微細な塵芥や砂が入り込んだ場合でも、弾性部分（４）となった横溝部（３ｂ）の下側壁部（４ａ）の弾性によって、横溝部（３ｂ）が上下に多少開くので、従来例のように解除不能になることがない。また、該切欠部（５）から、塵芥や砂粒が排水口（２）内に少しづつ排出されて、砂噛みの原因が無くなるので、砂噛みによる嵌合の解除不良の問題は更に容易に解決される。
【００２５】
次に、本発明の第三実施例を、図面を参照しつつ説明する。
図９乃至図１０に示した本発明の第三実施例は、被覆部材として排水口（１）に目皿部材を採用して成り、他に排水口（１）を有する排水装置、その他の部材より構成されてなる。
防水パン等の底面に取り付けられた排水装置に設けられるものであって、円筒状にしてその内周面の複数箇所に、ゴムなどの弾性材よりなる突起部（２）を設けてなる。
被覆部材である目皿部材（６）は排水口（２）の排水口に備えられる、排水口（１）より多少小さな径を有する略円筒形状の部材で、円筒形状の上端から内方に向かって設けた上面部分には、排水を排水口（１）内に通すための複数のスリット部（９）を設けて成る。
また目皿部材（６）には、排水口（１）の突起部（２）と対応する位置に、下端まで解放され、排水口（１）の突起部（２）の横幅よりも多少幅広な横幅を有する縦溝部（３ａ）と、縦溝部（３ａ）の側面部に該縦溝部（３ａ）と連通して円弧方向に延設され、縦溝部（３ａ）近傍では縦幅が突起部（２）の縦幅よりも多少幅広で、連通する縦溝部（３ａ）から離れるほど縦幅が狭くなり突起部（２）と縦方向において嵌合するテーパー部（３ｃ）を備えた横溝部（３ｂ）と、より成る嵌合溝（３）を側面に設けてなる。
【００２６】
上記のように構成した目皿部材（６）を排水口（２）に取り付ける場合、まず目皿部材（６）の縦溝部（３ａ）を、平面視排水口（１）の突起部（２）に一致する位置に配置する。
次に縦溝部（３ａ）に沿って目皿部材（６）を降下させ、排水口（１）の突起部（２）を、縦溝部（３ａ）に、横溝部（３ｂ）の高さになるまで挿通させる。次に目皿部材（６）を横溝部（３ｂ）に沿って回転させると、横溝部（３ｂ）に設けられたテーパー部（３ｃ）によって、突起部（２）が通過している部分の横溝部（３ｂ）の縦幅が幅狭となり、最終的に突起部（２）と横溝部（３ｂ）が嵌合して目皿部材（６）が排水口（１）に取り付けられる。
この時、突起部（２）はゴムなどの弾性材より構成されて弾性部分（４）となっているため、複数箇所ある突起部（２）と嵌合溝（３）のどれか一カ所で充分な嵌合強度に到達した状態から、更に他の突起部（２）と嵌合溝（３）とが良好な状態になるまで目皿部材（６）を回転さたとしても、最初に充分な嵌合強度に到達した突起部（２）及び嵌合溝（３）が必要以上に嵌合が行われて、脱着時に締まりすぎて脱着に不便であったり、或いは突起部（２）また嵌合溝（３）に破損が生じたりすることがなく、複数箇所の全てで良好な嵌合強度を得ることができる。
【００２７】
また、上記段落００１１に記載した従来例のように、横溝部（３ｂ）に微細な塵芥や砂が入り込んだ場合でも、突起部（２）の弾性によって突起部（２）と横溝部（３ｂ）の間が多少確保できるので、従来例のように、解除不能になることがない。
【００２８】
本発明の実施例は上記のようであるが、本発明は上記実施例に限定されるものではなく、要旨を変更しない範囲で様々に変更が可能である。
例えば上記第一実施例乃至第三実施例においては、被覆部材を目皿部材（６）としているが、図１１に示したように、被覆部材を、排水中の塵芥を捕集するストレーナー（７）や、図１２に示したように、排水口（２）内のストレーナー（７）などを直視しないようにする目隠部材（８）としても良い。
【００２９】
また、図１３に示した実施例のように、上記被覆部材において、嵌合溝（３）の形状に、テーパー部（３ｃ）と凸部（３ｄ）を組み合わせた構造を採用しても良好な結果を得ることができる。
【００３０】
なお、上記実施例においては、突起部（２）と嵌合溝（３）の数を同じ数とした構成としているが、本発明は上記実施例に限定される物ではなく、図１４乃至図１６に示したように突起部（２）よりも嵌合溝（３）が多い、または図示しないが、嵌合溝（３）よりも突起部（２）が多い、とした構成としてもよい。上記のように突起部（２）と嵌合溝（３）の数が相違しても、突起部（２）に対応した位置に嵌合溝（３）が配置されていれば、本発明による排水口の被覆部材は何ら問題なく利用することができる。
【００３１】
【効果】
本発明は上記のように構成したため、以下のような優れた効果を奏する。
１）目皿部材、ストレーナー、目隠部材などの排水口の被覆部材において、横溝部又は突起部に弾性を備えたため、各部の嵌合を、複数設けた嵌合溝の全ての箇所で同時に良好な状態にすることができ、また砂噛み現象が発生しても容易に嵌合を解除することができる。
２）請求項１に記載した、横溝部に切欠部を設けた排水口の被覆部材の嵌合構造においては、砂噛みが発生した場合に、切欠部から砂噛みの原因である微細な塵芥や砂粒が排出されるため、砂噛みが発生しても特に良好に嵌合の解除を行うことができる。
【図面の簡単な説明】
【図１】  本発明の第一実施例の目皿部材の斜視図である。
【図２】  本発明の第一実施例による、排水口を有する排水装置と目皿部材の部材構成を示す斜視図である。
【図３】  本発明の第一実施例による目皿部材の、（ａ）平面図（ｂ）側面図、である。
【図４】  図３に示した目皿部材のＡ−Ａ’断面図、及び排水口の断面図である。
【図５】  図４に示した排水口及び目皿部材の、嵌合状態を示す断面図である。
【図６】  本発明の第二実施例の目皿部材の斜視図である。
【図７】  本発明の第二実施例による、排水口を有する排水装置と目皿部材の部材構成を示す斜視図である。
【図８】  本発明の第二実施例による目皿部材の、（ａ）平面図（ｂ）側面図、である。
【図９】  本発明の第三実施例による、目皿部材の断面図及び排水口の断面図である。
【図１０】  図９に示した排水口及び目皿部材の、嵌合状態を示す断面図である。
【図１１】  本発明をストレーナーに採用した実施例を示す斜視図である。
【図１２】  本発明を目隠部材に採用した実施例を示す斜視図である。
【図１３】  本発明の嵌合溝と凸部を組み合わせた実施例による目皿部材の、（ａ）平面図（ｂ）側面図、である。
【図１４】  本発明の嵌合溝より突起部の方が多い実施例による、排水口を有する排水装置と目皿部材の部材構成を示す斜視図である。
【図１５】  図１４の実施例による目皿部材の断面図、及び排水口の断面図である。
【図１６】  図１５に示した排水口及び目皿部材の、嵌合状態を示す断面図である。
【図１７】  従来の排水口を有する排水装置と目皿部材の部材構成を示す斜視図である。
【図１８】  従来の目皿部材の、（ａ）平面図（ｂ）側面図、である。
【図１９】  従来の目皿部材のＢ−Ｂ’断面図、及び排水口の断面図である。
【図２０】  図１９に示した排水口及び目皿部材の、嵌合状態を示す断面図である。
【図２１】  従来のストレーナーを示す斜視図である。
【図２２】  従来の目隠部材を示す斜視図である。
【符号の説明】
１    排水口
２    突起部
３    嵌合溝
３ａ  縦溝部
３ｂ  横溝部
３ｃ  テーパー部
３ｄ  凸部
４    弾性部分
４ａ  下側壁部
５    切欠部
６    目皿部材
７    ストレーナー
８    目隠部材
９    スリット部
【図１】
0004099751.tif 000002
【図２】
0004099751.tif 000003
【図３】
0004099751.tif 000004
【図４】
0004099751.tif 000005
【図５】
0004099751.tif 000006
【図６】
0004099751.tif 000007
【図７】
0004099751.tif 000008
【図８】
0004099751.tif 000009
【図９】
0004099751.tif 000010
【図１０】
0004099751.tif 000011
【図１１】
0004099751.tif 000012
【図１２】
0004099751.tif 000013
【図１３】
0004099751.tif 000014
【図１４】
0004099751.tif 000015
【図１５】
0004099751.tif 000016
【図１６】
0004099751.tif 000017
【図１７】
0004099751.tif 000018
【図１８】
0004099751.tif 000019
【図１９】
0004099751.tif 000020
【図２０】
0004099751.tif 000021
【図２１】
0004099751.tif 000022
【図２２】
0004099751.tif 000023